(57)【要約】  【課題】  封止機構が破壊されたことを外観上容易に認識できる。  【解決手段】  現在封止状態にある第１被封止部５１及び第２被封止部８１のうち第２被封止部８１の周囲に設けられた３箇所の切取部８５，８５，８５をニッパで切り取る。これらの切取部８５をニッパで切り取ったときには圧縮による切断力が働いて切断される。各切取部８５は、粘性の高いＡＢＳ樹脂製のため、その切断面は押し潰された形状に塑性変形すると同時に白化することから、切断されたことが外観上容易に認識できる。このように切取部８５を切り取った後、封止状態にあった第１被封止部５１及び第２被封止部８１はそのまま封止状態が維持されることになるが、第２被封止部８１の周囲が切断されることから、ケース蓋体７０はケース本体４０から離脱する方向へスライドさせて開けるることが可能となる。【選択図】  図１０
2005102834.tif 000002
【特許請求の範囲】
【請求項１】
第１ケース構成体と第２ケース構成体とによって制御基板を収容可能な収容空間を形成する基板ケースを備えた遊技機であって、
前記基板ケースは、
前記第１ケース構成体に設けられた複数の第１被封止部と、
前記第２ケース構成体に設けられた複数の第２被封止部と、
前記第１ケース構成体と前記第２ケース構成体とを組み付けて前記収容空間を形成した状態で所定の第１被封止部と該所定の第１被封止部に整合する第２被封止部とを不可逆的に封止する封止部材と、
前記第２ケース構成体と前記第２被封止部とを切り離すために各第２被封止部の周囲に設けられ圧縮又は剪断による切断力が加えられると視認可能な痕跡が残る材料で形成された切取部と、
を備えた遊技機。
【発明の詳細な説明】
【技術分野】
【０００１】
本発明は、遊技機に関し、詳しくは、透明な第１ケース構成体と透明な第２ケース構成体とからなり遊技機の制御基板を収容可能な基板ケースを備えた遊技機に関する。
【背景技術】
【０００２】
従来より、遊技機の基板ケースは、遊技機で行われる遊技に関わる種々の制御を司る制御基板を収容した状態で複数の封止機構のいずれかを利用して封止するものが知られている（例えば、特許文献１参照）。この種の基板ケースは、監督官庁等の検査機関による検査の際に現在封止されている封止機構を破壊して開封し、検査後に未使用の封止機構を用いて再度封止する。そして、検査回数を履歴として残すようにし、検査回数と破壊された封止機構の数とを照合することにより、不正行為によって封止機構が破壊されたことがあるか否かを判定する。なお、不正行為は、正規な制御プログラムが格納されているＲＯＭを不正な制御プログラムが格納されているＲＯＭに交換すること等を目的としてなされる。
【特許文献１】特開２０００−３００７２０号公報
【発明の開示】
【発明が解決しようとする課題】
【０００３】
しかしながら、封止機構は基板ケースと同様、ポリカーボネート等で形成されているため、悪意のある者が封止機構を破壊し開封して不正なＲＯＭに交換した後破壊した箇所を接着剤等で丁寧にくっつけることにより、外観上破壊されていないかの如く見えることがある。
【０００４】
本発明はこのような課題に鑑みなされたものであり、基板ケースの封止機構が破壊されたことを外観上容易に認識できる遊技機を提供することを目的とする。
【課題を解決するための手段】
【０００５】
上記の目的を達成するための有効な手段を以下に示す。なお、必要に応じてその作用等についても説明する。
【０００６】
手段１．第１ケース構成体と第２ケース構成体とによって制御基板を収容可能な収容空間を形成する基板ケースを備えた遊技機であって、
前記基板ケースは、
前記第１ケース構成体に設けられた複数の第１被封止部と、
前記第２ケース構成体に設けられた複数の第２被封止部と、
前記第１ケース構成体と前記第２ケース構成体とを組み付けて前記収容空間を形成した状態で所定の第１被封止部と該所定の第１被封止部に整合する第２被封止部とを不可逆的に封止する封止部材と、
前記第２ケース構成体と前記第２被封止部とを切り離すために各第２被封止部の周囲に設けられ圧縮又は剪断による切断力が加えられると視認可能な痕跡が残る材料で形成された切取部と、
を備えた遊技機。
【０００７】
この遊技機に装着される基板ケースは、収容空間に制御基板を収容した状態で第１ケース構成体と第２ケース構成体とが組み付けられ、所定の第１被封止部とその第１被封止部に整合する第２被封止部とが封止部材によって不可逆的に封止される。そして、開封する必要が生じたときには、第２被封止部の周囲に形成された切取部を切り取る。すると、第２ケース構成体は、第２被封止部から切り離されるため、第１ケース構成体から離間可能となる。このため、収容空間に収容された制御基板等を検査することができる。さて、開封後に再度封止するには、収容空間に制御基板を収容した状態で先ほどとは別の第１被封止部とその第１被封止部に整合する第２被封止部とを封止部材により不可逆的に封止する。ここで、切取部は、圧縮による切断力（例えばニッパ等による切断力）や剪断による切断力（例えばハサミ等による切断力）が加えられると視認可能な痕跡が残る材料で形成されている。このため、悪意のある者が切取部を切断し開封したあと接着剤等によりくっつけたとしても、切取部には視認可能な痕跡が残るので、封止機構が破壊されたことを外観上容易に認識することができる。また、例えば検査回数の履歴と痕跡の数とを照合することにより不正行為があったことを容易に認識できる。
【０００８】
手段２．第１ケース構成体と第２ケース構成体とによって制御基板を収容可能な収容空間を形成する基板ケースを備えた遊技機であって、
前記基板ケースは、
前記第１ケース構成体に装着・離脱可能に設けられ複数の第１被封止部が形成された第１取付部材と、
前記第２ケース構成体に装着・離脱可能に設けられ複数の第２被封止部が形成されると共に該第２被封止部の周囲に該第２被封止部を切り離すための切取部が形成された第２取付部材と、
前記第１ケース構成体と前記第２ケース構成体とを組み付けて前記収容空間を形成した状態で前記第１取付部材のうち所定の第１被封止部と前記第２取付部材のうち前記所定の第１被封止部に整合する第２被封止部とを不可逆的に封止する封止部材と、
を備え、
前記切取部は、圧縮又は剪断による切断力が加えられると視認可能な痕跡が残る材料で形成されている、遊技機。
【０００９】
この遊技機に装着される基板ケースは、手段１と同様、封止機構が破壊されたことを外観上容易に認識することができる。また、第１取付部材の複数の第１被封止部と第２取付部材の複数の第２被封止部とをすべて利用したあとに、その第１及び第２取付部材をそれぞれ第１及び第２ケース構成体から離脱させ、新品の第１及び第２取付部材をそれぞれ第１及び第２ケース構成体に装着することにより、基板ケースを再生することができる。
【００１０】
手段３．手段１又は２に記載の遊技機であって、前記切取部は、圧縮又は剪断による切断力が加えられると白化する材料によって形成されている、遊技機。こうすれば、切取部を切断し開封したあと接着剤等によりくっつけて元に戻したとしても、切取部には白くなった部分が残るので、封止機構が破壊されたことを外観上容易に認識することができる。このとき、切取部は、白色以外の材料で形成されている必要があり、特に白色と区別のつきやすい色（例えば黒、紺、紫、青、赤、橙、茶、緑など）が好ましい。
【００１１】
手段４．手段１〜３のいずれかに記載の遊技機であって、前記切取部は、圧縮又は剪断による切断力が加えられると押し潰された形状に塑性変形する材料によって形成されている、遊技機。こうすれば、切取部を切断し開封したあと接着剤等によりくっつけて元に戻したとしても、切取部の切断面は押し潰された形状になるので、封止機構が破壊されたことを外観上容易に認識することができる。
【００１２】
手段５．手段１〜４のいずれかに記載の遊技機であって、前記切取部は、ＡＢＳ（アクリロニトリル−ブタジエン−スチレン系）樹脂を含む材料によって形成されている、遊技機。ＡＢＳ樹脂は粘性が高いため、圧縮又は剪断による切断力が加えられると白化したり押し潰された形状に塑性変形したりしやすい。なお、例えばスチロール樹脂、ＡＳ（アクリロニトリル−スチレン系）樹脂等も粘性が高いが、耐熱性や強度の点を考慮するとＡＢＳ樹脂が好ましい。
【００１３】
手段６．手段１又は２に記載の遊技機であって、前記切取部は、圧縮又は剪断による切断力が加えられると脆性破壊が起きる材料によって形成されている、遊技機。こうすれば、切取部を切断し開封したあと接着剤等によりくっつけて元に戻したとしても、切取部には脆性破壊による亀裂が入っているので、封止機構が破壊されたことを外観上容易に認識することができる。
【００１４】
手段７．手段１，２又は６に記載の遊技機であって、前記切取部は、アクリル樹脂又はＰＥＴ（ポリエチレンテレフタレート）樹脂を含む材料によって形成されている、遊技機。アクリル樹脂やＰＥＴ樹脂は硬度が高いため、圧縮又は剪断による切断力が加えられると割れて亀裂が入りやすい。
【００１５】
手段８．手段２又は手段２の構成を備えた手段３〜７のいずれかに記載の遊技機であって、前記第１取付部材及び／又は前記第２取付部材は、有色材料によって形成されている、遊技機。こうすれば、封止機構が破壊されたことを外観上容易に認識できるという効果のほかに、遊技機の機種に応じて基板ケースの色を決めておくことができ、それにより遊技機の機種と制御基板との対応関係を容易に認識できる。
【００１６】
手段９．手段２又は手段２の構成を備えた手段３〜８のいずれかに記載の遊技機であって、前記封止部材によって前記第１取付部材のうち所定の第１被封止部と前記第２取付部材のうち前記所定の第１被封止部に整合する第２被封止部とが不可逆的に封止された状態では、前記第１取付部材は前記第１ケース構成体から離脱する方向に移動するのを前記第２ケース構成体、前記第２取付部材又は前記制御基板によって阻止され、前記第２取付部材は前記第２ケース構成体から離脱する方向に移動するのを前記第１ケース構成体、前記第１取付部材又は前記制御基板によって阻止されている、遊技機。こうすれば、封止状態において各構成体や各部材を分解することができない。
【００１７】
手段１０．手段９に記載の遊技機であって、前記第１取付部材と前記第１ケース構成体、前記第２取付部材と前記第２ケース構成体、前記第１ケース構成体と前記第２ケース構成体は、それぞれ接着・螺合することなく装着・離脱可能に嵌め合わされている、遊技機。こうすれば、基板ケースを再生する際に接着・螺合を外す作業が不要となり、分解・組立が容易になる。
【００１８】
手段１１．手段１０に記載の遊技機であって、前記第１取付部材と前記第１ケース構成体、前記第２取付部材と前記第２ケース構成体、前記第１ケース構成体と前記第２ケース構成体は、それぞれ接着・螺合することなく装着・離脱可能にスライド機構により嵌め合わされている、遊技機。こうすれば、基板ケースの分解・組立が一層容易になる。
【００１９】
手段１２．手段１〜手段１１のいずれかに記載の遊技機であって、前記封止部材は第１封止具と第２封止具からなり、前記第１封止具は前記第２被封止部に整合する位置に配置される前の前記第１被封止部に離脱不能に差し込まれ、前記第２封止具は前記第１封止具が差し込まれた前記第１被封止部と前記第２被封止部とを整合した状態で前記第２被封止部に差し込まれることにより前記第２被封止部に引っ掛かった状態で前記第１封止具と離脱不能に噛み合う、遊技機。こうすれば、一旦封止部材によって封止した後は封止部材による封止を解くことができないので、封止を解くには切取部を切断することになる。
【００２０】
手段１３．前記遊技機はパチンコ機である、手段１〜１２のいずれかに記載の遊技機。こうすれば、パチンコ機において、手段１〜１２の作用効果が得られる。ここで、パチンコ機は、いわゆる第１種、第２種、第３種と称される機種であってもよいが、これら以外の機種であってもよい。
【００２１】
手段１４．前記遊技機はスロットマシンである、手段１〜１２のいずれかの遊技機。こうすれば、スロットマシンにおいて、手段１〜１２の作用効果が得られる。ここで、スロットマシンには、例えばＡタイプ（ビッグボーナスゲームが小役ゲーム３０回とＪＡＣゲーム３回のセットで構成されるタイプ）、Ｂタイプ（ビッグボーナスゲームが小役ゲーム３０回とＪＡＣゲーム２回のセットで構成されるタイプ）、Ｃタイプ（シングルボーナスが頻繁に揃うタイプ）、ＡタイプとＣタイプの複合機、ＢタイプとＣタイプの複合機などがあるが、いずれのスロットマシンであってもよいし、これらのタイプ以外のスロットマシンであってもよい。
【００２２】
手段１５．前記遊技機はパチンコ機とスロットマシンとを融合させてなる融合機である、手段１〜１２のいずれかの遊技機。こうすれば、パチンコ機とスロットマシンとを融合させてなる融合機において、手段１〜１２の作用効果が得られる。ここで、融合機としては、例えば遊技媒体としてメダルの代わりに遊技球を用いるスロットマシンなどが挙げられる。
【００２３】
なお、本発明の遊技機は、この他、種々の遊技機（例えばゲームセンタに設置されるゲーム機など）に適用することもできる。また、本発明は、基板ケースに係る発明と見ることもできる。例えば、第１ケース構成体と第２ケース構成体とによって制御基板を収容可能な収容空間を形成する基板ケースであって、前記第１ケース構成体に設けられた複数の第１被封止部と、前記第２ケース構成体に設けられた複数の第２被封止部と、前記第１ケース構成体と前記第２ケース構成体とを組み付けて前記収容空間を形成した状態で所定の第１被封止部と該所定の第１被封止部に整合する第２被封止部とを不可逆的に封止する封止部材と、前記第２ケース構成体と前記第２被封止部とを切り離すために各第２被封止部の周囲に設けられ圧縮又は剪断による切断力が加えられると視認可能な痕跡が残る材料で形成された切取部と、を備えたものとして捉えることもできる。この基板ケースは、上述した手段１〜１５のいずれかの構成を採用したものであってもよい。
【発明を実施するための最良の形態】
【００２４】
次に、本発明を実施するための最良の実施形態を説明する。図１は本実施形態のパチンコ機２０を裏面から見た外観図であり、図２はメイン制御基板ケース３０を一方から見たときの斜視図、図３はメイン制御基板ケース３０を他方から見たときの斜視図である。なお、図２にはメイン制御基板を図示したが、それ以外の図面にはメイン制御基板を省略した。
【００２５】
パチンコ機２０は、図１に示すように、外枠２にヒンジ３を介して開閉自在に取り付けられた前枠４と、外枠２の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、外枠２の裏面中央に開閉自在に取り付けられ特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどを内包する大型カバー１４と、遊技盤の各種入賞口への遊技球の入賞に応じて各種制御基板へ制御信号を出力するメイン制御基板を収容するメイン制御基板ケース３０と、遊技球を遊技盤へ発射させるステップモータ１６とを備える。
【００２６】
メイン制御基板ケース３０は、図２及び図３に示すように、第１取付部材５０を取り付けたケース本体４０に第２取付部材８０を取り付けたケース蓋体７０をスライドして一体化したあと、第１取付部材５０に設けられた第１被封止部５１と第２取付部材８０に設けられた第２被封止部８１とを整合させた状態で不可逆的に封止したものであり、ケース本体４０とケース蓋体７０とによって形成される収容空間にメイン制御基板を収容するものである。
【００２７】
ケース本体４０は、透明なＰＣ（ポリカーボネート樹脂）により成形されたものであり、矩形状の本体底面部４１と、この本体底面部４１の各長辺に沿って立設した一対の本体長壁部４２，４２とを備えている。両本体長壁部４２，４２の内側には、ケース蓋体７０をスライドさせるためのメインレール溝４３，４３が長辺に沿って形成されている。また、一方の本体長壁部４２の外面には、パチンコ機２０の裏面にメイン制御基板ケース３０を引っかけるための引っ掛け部４４，４４が設けられている。また、ケース本体４０には、メインレール溝４３，４３をスライドしていくケース蓋体７０をメインレール溝４３，４３の終端にてストップさせるストッパ壁４３ａ，４３ａが形成されている。これら二つのストッパ壁４３ａ，４３ａは、本体底面部４１の一方の短辺の両端に立設されており、両ストッパ壁４３ａ，４３ａの間の空間には、第１取付部材５０が嵌め込まれている。具体的には、両ストッパ壁４３ａ，４３ａの近傍には、第１取付部材５０をスライドさせるためのガイド４５，４５が立設され、第１取付部材５０の両端に設けたサブレール溝５４，５４とこのガイド４５，４５を用いて第１取付部材５０を本体底面部４１に向かって略垂直にスライドさせることにより、第１取付部材５０は装着・離脱可能な状態でケース本体４０に嵌め込まれる。また、ケース本体４０には、第１取付部材５０が取り付けられる側とは反対側に、パチンコ機２０の裏面にビス止めするためのビス止め穴４６，４６が設けられている。
【００２８】
第１取付部材５０は、透明なＰＣにより形成されており、ケース本体４０の両ストッパ壁４３ａ，４３ａの間の空間を閉鎖する板状部材５９（図３参照）と、この板状部材５９の両端に設けられたサブレール溝５４，５４と、板状部材５９の外面に形成された５つの第１被封止部５１，５１，…と、その両側に形成された２つのポケット部５８，５８とを備えている。このうち、板状部材５９には、サブレール溝５４，５４と所定の隙間を持って庇部５９ａ，５９ａが形成されている。また、第１被封止部５１には、第１封止金具６０が離脱不能な状態で嵌め込まれている。具体的には、図４に示すように、第１被封止部５１は、内部に空洞が形成され、その空洞には直立壁５２とこの直立壁５２に対向する位置に並んで立設された二つの対向壁５３，５３とが設けられ、直立壁５２と二つの対向壁５３，５３との間には第１封止金具６０を挿入するためのスリットＳ１が形成されている。また、二つの対向壁５３，５３の奥側端部は架橋壁５５によって架け渡され、この架橋壁５５の奥には空間５６が形成されている。更に、直立壁５２のうちスリットＳ１の入口近くには突堤５７が形成されている。なお、ポケット部５８は、内部に空洞が形成され、この空洞に予備の第２封止金具９０を保管しておくためのものである。
【００２９】
第１封止金具６０は、金属薄板を加工したものである。この第１封止金具６０は、図４に示すように、第１被封止部５１の突堤５７に引っ掛かる手前側フック６１と、第１被封止部５１のスリットＳ１に挿入されてそのスリットＳ１の奥に設けられた架橋壁５５の下側に引っ掛かる奥側フック６２，６２とを備え、手前側フック６１と奥側フック６２，６２とは互いに逆向きに屈曲している。また、第１封止金具６０の中央やや奥寄りには板バネ部６３，６３が設けられ、この板バネ部６３，６３は奥側フック６２，６２と反対側に突出している。この第１封止金具６０は、第１被封止部５１のスリットＳ１に挿入されると、奥側フック６２，６２と板バネ部６３，６３とが扁平に弾性変形した状態でスリットＳ１の奥へと進み、奥側フック６２，６２が架橋壁５５の奥の空間５６に達すると弾性により元のフック形状に復帰し、また板バネ部６３，６３が第１封止金具６０の全体を対向壁５３，５３及び架橋壁５５へ押しつけるように付勢するため、第１封止金具６０をスリットＳ１から抜き取ることはできなくなる。このとき、手前側フック６１は突堤５７に引っ掛かった状態となり、これ以上第１封止金具６０がスリットＳ１の奥へ進むのを阻止している。また、第１封止金具６０のうち中央やや手前寄りには傾斜突起６４，６４が設けられている。この傾斜突起６４，６４は、後述する第２封止金具９０と離脱不能な状態で係合し合うものである。
【００３０】
ケース蓋体７０は、図２及び図３に示すように、透明なＰＣ（ポリカーボネート樹脂）により成形されたものであり、矩形状の蓋体底面部７１と、この蓋体底面部７１の各長辺に沿って立設した一対の蓋体長壁部７２，７２とを備えている。このうち、蓋体底面部７１には、メイン制御基板の熱を外部へ放出するための多数の放熱孔７１ａが穿設されると共に、メイン制御基板の検査回数を履歴として残すための履歴シールを貼り付けるシール貼付箇所７１ｂが設けられている。また、両蓋体長壁部７２，７２には、ケース本体４０のメインレール溝４３，４３に嵌め込んでスライドさせるための鍔部７３，７３（図には片側のみ示す）が形成されている。この鍔部７３には、メイン制御基板に接続されたコネクタやハーネスを露出させるための複数の窓部７３ａが設けられている。また、ケース蓋体７０の一方の短辺の両端には短壁部７４，７４が設けられ、両短壁部７４，７４の間の空間には、第２取付部材８０が嵌め込まれている。具体的には、両短壁部７４，７４の近傍には、第２取付部材８０をスライドさせるためのサブレール溝７５，７５が形成され、第２取付部材８０の両端に設けたガイド８４，８４とこのサブレール溝７５，７５を用いて第２取付部材８０を蓋体底面部７１に向かって略垂直にスライドさせることにより、第２取付部材８０は装着・離脱可能な状態でケース蓋体７０に嵌め込まれる。また、ケース蓋体７０には、第２取付部材８０が取り付けられる側とは反対側に、ケース本体４０と共にパチンコ機２０の裏面にビス止めするためのビス止め穴７６，７６が設けられている。
【００３１】
第２取付部材８０は、図２，図３及び図５に示すように、黒色のＡＢＳ樹脂で成形されており、ケース蓋体７０の両短壁部７４，７４の間の空間を閉鎖する板状部材８９と、この板状部材８９の両端に設けられたガイド８４，８４と、板状部材８９の外面に形成された５つの第２被封止部８１，８１，…と、それらの両側に形成された２つのポケットカバー８８，８８と、各第２被封止部８１の周囲に形成された切取部８５，８５，…とを備えている。このうち、第２被封止部８１には、第２封止金具９０が挿入可能である。具体的には、図４に示すように、第２被封止部８１は、手前から奥へと貫通する矩形孔Ｓ２とこの矩形孔Ｓ２の奥にて一部を架橋する架橋部８３とを備え、第１封止金具６０が嵌め込まれた第１被封止部５１に整合する位置に配置されたときには、架橋部８３によって仕切られた矩形孔Ｓ２の幅広側Ｓ２ａが第１被封止部５１の二つの対向壁５３，５３の隙間に連通し、幅狭側Ｓ２ｂが第１被封止部５１の空洞を突堤５７で仕切った空間のうちスリットＳ１と反対側に連通する。また、切取部８５は、図５に示すように、各第２被封止部８１につき周囲３箇所ずつ形成されている。即ち、５つの第２被封止部８１，８１，…のうち両側の２つについては、隣りの第２被封止部８１と連結する箇所、隣りのポケットカバー８８と連結する箇所、板状部材８９と連結する箇所の合計３箇所であり、５つの第２被封止部８１，８１，…のうち中３つについては、両隣の第２被封止部８１，８１と連結する箇所、板状部材８９と連結する箇所の合計３箇所である。これらの切取部８５は、切断しやすいように他の箇所に比べてやや幅が狭く形成されている。また、これらの切取部８５は、ＡＢＳ樹脂製であるため、ニッパ等の圧縮による切断力が加わったりハサミ等の剪断による切断力が加わると、その部分が白化するし、また切断面は押しつぶされた形状に塑性変形する。なお、ポケットカバー８８は、第２被封止部８１が第１被封止部５１に整合する位置に配置されたときポケット部５８の開口を覆うように形成されている。
【００３２】
第２封止金具９０は、金属板材を略Ｊ字状に加工したものである。この第２封止金具９０は、図４に示すように、第２被封止部８１のうち架橋部８３によって仕切られた矩形孔Ｓ２の幅広側Ｓ２ａに挿入される長足部９１と、矩形孔Ｓ２の幅狭側Ｓ２ｂに挿入される短足部９５と、長足部９１と短足部９５とを繋いでいる連繋部９７とを備え、長足部９１の内側には長手方向に沿って三角突起９２，９２が並設されている。この第２封止金具９０は、第１封止金具６０が嵌め込まれた第１被封止部５１と第２被封止部８１とが整合する位置に配置されたときに矩形孔Ｓ２へ挿入されると、長足部９１が第１被封止部５１の対向壁５３，５３の隙間に進入しつつ、第１封止金具６０の傾斜突起６４，６４を第２封止金具９０の三角突起９２，９２が弾性変形させながら奥へと進み、連繋部９７が第２被封止部８１の架橋部８３に引っ掛かると傾斜突起６４，６４と三角突起９２，９２とが係合し、第２封止金具９０を矩形孔Ｓ２から抜こうとしてももはや抜き取ることはできなくなる。
【００３３】
次に、メイン制御基板ケース３０にメイン制御基板を収容して封止する手順について説明する。まず、図２及び図３に示すように、ケース本体４０に第１取付部材５０を嵌め込み、第１取付部材５０の各第１被封止部５１に第１封止金具６０を差し込む。具体的には、ケース本体４０の両ストッパ壁４３ａ，４３ａの近傍に立設されたガイド４５，４５に第１取付部材５０のサブレール溝５４，５４が嵌るように位置合わせしたあと、ガイド４５，４５に沿って第１取付部材５０をスライドさせる。このようにスライドさせた後には、ケース本体４０の内部から見た斜視図である図６に示すように、ガイド４５及びサブレール溝５４の端面と板状部材５９に設けられた庇部５９ａとの間に、ケース蓋体７０の鍔部先端７３ｂ（図２参照）が入り込む隙間１０２が形成される。この隙間１０２の間隔Ｗ２はメインレール溝４３の溝幅Ｗ１と略同じである。続いて、第１取付部材５０の各第１被封止部５１のスリットＳ１に第１封止金具６０を差し込む。すると、第１封止金具６０はスリットＳ１から離脱不能な状態となるが、この点は既に説明したため省略する。
【００３４】
これと共に、図２及び図３に示すように、ケース蓋体７０に第２取付部材８０を嵌め込む。具体的には、ケース蓋体７０の両短壁部７４，７４の近傍に立設されたサブレール溝７５，７５に第２取付部材８０のガイド８４，８４が嵌るように位置合わせしたあと、サブレール溝７５，７５に沿って第２取付部材８０をスライドさせる。このようにスライドさせた後には、ケース蓋体７０の内部から見た斜視図である図７に示すように、ガイド８４及びサブレール溝７５の両端面は、短壁部７４の内側に設けられた段差７４ｃや鍔部７３の段差７３ｃと面一となる。ここで、短壁部７４の内側の段差７４ｃや鍔部７３の段差７３ｃは、メイン制御基板の厚さＷ３と略同じ高さに形成されている。この段差７３ｃ，７４ｃによって形成される凹部はメイン制御基板を嵌め込むための空間であり、この凹部にメイン制御基板を嵌め込んでネジでネジ孔７７に固定することにより、メイン制御基板はガイド８４とサブレール溝７５とが離脱する方向に移動するのを阻止する。
【００３５】
続いて、第２取付部材８０及びメイン制御基板が取り付けられたケース蓋体７０を、第１取付部材５０が取り付けられたケース本体４０に嵌め込み、各第１被封止部５１と各第２被封止部８１とを整合させる。具体的には、図２及び図３に示すように、ケース本体４０のメインレール溝４３，４３にケース蓋体７０の両鍔部７３，７３が嵌るように位置合わせしたあと、図８に示すように、ケース蓋体７０の鍔部先端７３ｂがケース本体４０のストッパ壁４３ａに突き当たるまで、メインレール溝４３，４３に沿ってケース蓋体７０をスライドさせていく。このようにスライドさせていく途中でケース本体４０側の第１被封止部５１にケース蓋体７０側の第２被封止部８１が乗り上げ、その後は乗り上げた状態で第１被封止部５１に第２被封止部８１が摺動していく。そして、スライド完了後、鍔部先端７３ｂがケース本体４０側の隙間１０２（図６参照）に入り込むため、鍔部先端７３ｂはケース本体４０のガイド４５，４５と第１取付部材５０のサブレール溝５４，５４とが離脱する方向に移動するのを阻止する。なお、図９はスライド完了後の斜視図である。
【００３６】
最後に、５つの第２被封止部８１，８１，…のうち未使用のものを一つ選択し、選択した第２被封止部８１の矩形孔Ｓ２（図４参照）に第２封止金具９０を差し込む。すると、第２封止金具９０は、長足部９１が第１被封止部５１の対向壁５３，５３の隙間に進入しつつ、第１封止金具６０の傾斜突起６４，６４を第２封止金具９０の三角突起９２，９２が弾性変形させながら奥へと進み、連繋部９７が第２被封止部８１の架橋部８３に引っ掛かると傾斜突起６４，６４と三角突起９２，９２とが係合し、第２封止金具９０を矩形孔Ｓ２から抜こうとしてももはや抜き取ることはできなくなる。これにより、メイン制御基板ケース３０の不可逆的な封止が完了する。このときの様子を図１０及び図１１に示す。図１０は、封止状態にあるメイン制御基板ケース３０の平面図、図１１は図１０のＡ−Ａ断面図である。
【００３７】
次に、メイン制御基板の検査を行う際に、封止状態にあるメイン制御基板ケース３０を開ける手順について説明する。まず、図１１に示すように、現在封止状態にある第１被封止部５１及び第２被封止部８１のうち第２被封止部８１の周囲に設けられた３箇所の切取部８５，８５，８５をニッパ又はハサミで切り取る。これらの切取部８５をニッパで切り取ったときには圧縮による切断力が働いて切断され、ハサミで切り取ったときには剪断による切断力が働いて切断される。各切取部８５は、粘性の高いＡＢＳ樹脂製のため、その切断面は押し潰された形状に塑性変形すると同時に白化する。このように切取部８５を切り取った後、封止状態にあった第１被封止部５１及び第２被封止部８１はそのまま封止状態が維持されることになるが、第２被封止部８１の周囲が切断されることから、第２被封止部８１は第２取付部材８０から離間可能となっており、その結果、ケース蓋体７０はケース本体４０から離脱する方向へスライド可能となる。したがって、ケース蓋体７０をケース本体４０から離脱方向へスライドさせれば、メイン制御基板ケース３０を開くことができ、内部に収容されているメイン制御基板の検査が可能となる。この検査の際には、シール貼付箇所７１ｂに貼り付けられた履歴シールにメイン制御基板の検査を行った日付を記入する。このように検査履歴を残すことにより、不正行為によってメイン制御基板ケース３０が開けられていなければ、切取部８５が切断されている第２被封止部８１の数と検査回数とが一致する。一方、切取部８５が切断された第２被封止部８１の数が検査回数よりも多ければ、検査以外に開けられたことになり、悪意のある者が不正行為を働いた可能性が高いといえる。なお、再度封止するには、ケース本体４０及びケース蓋体７０によって形成される収容空間にメイン制御基板を収容した状態で先ほどとは別の第１被封止部５１とその第１被封止部５１に整合する第２被封止部８１とを第１及び第２封止金具６０，９０により不可逆的に封止する。
【００３８】
以上詳述した本実施形態によれば、切取部８５は、圧縮・剪断による切断力が加えられると視認可能な痕跡が残るＡＢＳ樹脂で形成されているため、悪意のある者が切取部８５を切断し開けたあと接着剤等によりくっつけたとしても、切断後の切取部８５には視認可能な痕跡が残るので、封止が破壊されたことを外観上容易に認識することができる。このため、悪意ある者が３箇所の切取部８５のうちの１つめを不正に切断したときにその痕跡が残ることがわかるので、不正行為を断念することが期待される。また、検査回数の履歴と痕跡の数とを照合することにより不正行為があったことを容易に認識できる。
【００３９】
また、第１取付部材５０の複数の第１被封止部５１，５１，…と第２取付部材８０の複数の第２被封止部８１，８１，…とをすべて利用したあと、ケース蓋体７０をケース本体４０から離脱する方向へスライドして外し更にメイン制御基板を外した状態で、第１取付部材５０をケース本体４０から離脱させると共に第２取付部材８０をケース蓋体７０から離脱させ、新品の第１及び第２取付部材５０，８０をそれぞれケース本体４０及びケース蓋体７０に装着し直すことにより、メイン制御基板ケース３０を再生することができる。
【００４０】
更に、第２取付部材８０は有色のＡＢＳ樹脂によって形成されているため、パチンコ機２０の機種に応じてメイン制御基板ケース３０の色を決めておくことができ、それによりパチンコ機２０の機種とメイン制御基板との対応関係を容易に認識できる。
【００４１】
更にまた、第１封止金具６０及び第２封止金具９０によって第１取付部材５０のうち所定の第１被封止部５１と第２取付部材８０のうちその第１被封止部５１に整合する第２被封止部８１とが封止された状態では、第１取付部材５０はケース本体４０から離脱する方向に移動するのをケース蓋体７０の鍔部先端７３ｂによって阻止され、第２取付部材８０はケース蓋体７０から離脱する方向に移動するのをメイン制御基板によって阻止されているため、封止状態においてケース本体４０や第１取付部材５０、ケース蓋体７０、第２取付部材８０を分解することができない。
【００４２】
そしてまた、第１取付部材５０とケース本体４０、第２取付部材８０とケース蓋体７０、ケース本体４０とケース蓋体７０は、それぞれ接着・螺合することなくスライド機構により装着・離脱可能に嵌め合わされているため、メイン制御基板ケース３０を再生する際に接着・螺合を外す作業が不要となり、分解・組立が容易になる。
【００４３】
そして更に、封止部材として第１封止金具６０と第２封止金具９０を採用しており、第１封止金具６０は第２被封止部８１に整合する位置に配置される前の第１被封止部５１のスリットＳ１に離脱不能に差し込まれ、第２封止金具９０は第１封止金具６０が差し込まれた第１被封止部５１と第２被封止部８１とを整合した状態で第２被封止部８１の矩形孔Ｓ２に差し込まれることにより第２被封止部８１の架橋部８３に引っ掛かった状態で第１封止金具６０と離脱不能に噛み合うため、一旦封止した後はこれらの封止を解くことができないので、封止を解くには切取部８５を切断することになる。したがって、本発明の効果が有効に発揮されることになる。
【００４４】
なお、本発明の実施の形態は、上述した実施形態に何ら限定されるものではなく、本発明の技術的範囲に属する限り種々の形態を採り得ることはいうまでもない。
【００４５】
例えば、上述した実施形態では、本発明の遊技機の基板ケースの一例としてメイン制御基板ケースを示したが、メイン制御基板以外の基板ケース、例えば払出制御基板を収容する払出制御基板ケース、表示制御基板を収容する表示制御基板ケース、ランプ制御基板を収容するランプ制御基板ケース、又は音声制御基板を収容する音声制御基板ケースなどを例示してもよい。これらの場合も上述した実施形態と同様の効果が得られる。
【００４６】
また、上述した実施形態では、切取部８５をＡＢＳ樹脂製としたが、ＡＢＳと同等の粘性を持つ樹脂（例えばスチロール樹脂やＡＳ樹脂等）で製造してもよい。この場合もＡＢＳ樹脂と同様、切断後の切取部８５は押し潰された形状になったり白化したりするため、封止が破壊されたことを外観上容易に認識できる。また、切取部８５をアクリル樹脂製やＰＥＴ樹脂製としてもよい。こうすれば、切取部８５を切断し開けたあと接着剤等によりくっつけて元に戻したとしても、切断後の切取部８５には脆性破壊による亀裂が入っているので、封止が破壊されたことを外観上容易に認識することができる。
【００４７】
更に、上述した実施形態では、第１取付部材５０をケース本体４０と装着・離脱可能としたが、両者を一体成形してもよい。また、第２取付部材８０をケース蓋体７０と装着・離脱可能としたが、両者を一体成形してもよい。
【００４８】
更にまた、上述した実施形態では、パチンコ機２０を例にとって説明したが、本発明が適用可能な遊技機はパチンコ機に限定されるものではなく、遊技球の入球に伴って当否判定を行う全ての遊技機、例えばパチンコ機とスロットマシンとを融合させた遊技機などにも適用することができるのは勿論である。このパチンコ機とスロットマシンとを融合させた遊技機の基本構成の一例としては、遊技状態に応じてその遊技状態を識別させるための複数の図柄からなる図柄列を変動表示した後に図柄を確定表示する表示手段を備え、始動用操作手投（例えば操作レバー）の操作に起因して図柄の変動が開始され、停止用操作手段（例えばストップボタン）の操作に起因してあるいは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用すると共に図柄の変動開始に際しては所定数の遊技球を必要とし、特別遊技状態の発生に際しては多くの遊技球が払い出されるよう構成されてなる遊技機を挙げることができる。こうした遊技機には、少なくとも多数個の遊技球を取得できる遊技者に有利な状態である特別遊技状態（大当り状態）と、遊技球を消費する遊技者に不利な状態である通常遊技状態とが存在するものとすることもできる。あるいは、スロットマシンに適用することも可能である。
【図面の簡単な説明】
【００４９】
【図１】本実施形態のパチンコ機２０を裏面から見た外観図である。
【図２】メイン制御基板ケース３０を一方から見たときの斜視図である。
【図３】メイン制御基板ケース３０を他方から見たときの斜視図である。
【図４】封止機構の説明図である。
【図５】第２取付部材８０の平面図である。
【図６】第１取付部材５０付きのケース本体４０を内部から見た斜視図である。
【図７】第２取付部材８０付きのケース蓋体７０を内部から見た斜視図である。
【図８】スライド途中のケース本体４０とケース蓋体７０を表す斜視図である。
【図９】スライド完了後のケース本体４０とケース蓋体７０を表す斜視図である。
【図１０】封止状態にあるメイン制御基板ケース３０の平面図である。
【図１１】図１０のＡ−Ａ断面図である。
【符号の説明】
【００５０】
１  外枠、３  ヒンジ、４  前枠、６  タンク、８  遊技球払出装置、１０  タンクレール、１２  払出制御基板ケース、１４  大型カバー、１６  ステップモータ、２０  パチンコ機、３０  メイン制御基板ケース、４０  ケース本体、４１  本体底面部、４２  本体長壁部、４３  メインレール溝、４３ａ  ストッパ壁、４４  引っ掛け部、４５  ガイド、４６  ビス止め穴、５０  第１取付部材、５１  第１被封止部、５２  直立壁、５３  対向壁、５４  サブレール溝、５５  架橋壁、５６  空間、５７  突堤、５８  ポケット部、５９  板状部材、５９ａ  庇部、６０  第１封止金具、６１  手前側フック、６２  奥側フック、６３  板バネ部、６４  傾斜突起、７０  ケース蓋体、７１  蓋体底面部、７１ａ  放熱孔、７１ｂ  シール貼付箇所、７２  蓋体長壁部、７３  鍔部、７３ａ  窓部、７３ｂ  鍔部先端、７３ｃ  段差、７４  短壁部、７４ｃ  段差、７５  サブレール溝、７６  ビス止め穴、７７  ネジ孔、８０  第２取付部材、８１  第２被封止部、８３  架橋部、８４  ガイド、８５  切取部、８８  ポケットカバー、８９  板状部材、９０  第２封止金具、９１  長足部、９２  三角突起、９５  短足部、９７  連繋部、Ｓ１  スリット、Ｓ２  矩形孔。
【図１】
2005102834.tif 000003
【図２】
2005102834.tif 000004
【図３】
2005102834.tif 000005
【図４】
2005102834.tif 000006
【図５】
2005102834.tif 000007
【図６】
2005102834.tif 000008
【図７】
2005102834.tif 000009
【図８】
2005102834.tif 000010
【図９】
2005102834.tif 000011
【図１０】
2005102834.tif 000012
【図１１】
2005102834.tif 000013